(57)【要約】【課題】  表示部材単体での情報処理装置の表示デザインのカスタマイズを可能にし、かつ、表示部材単体での流通を図ること。【解決手段】  情報処理装置２に着脱可能に取付けられた表示部材３が表示を電気的に書き換えて、電源を無印加状態でも表示を保持する。【選択図】  図１
2007013276.tif 000002
【特許請求の範囲】
【請求項１】
電気的に表示を書き換えて、電源を無印加状態でも表示を保持する表示部材が着脱可能に取付けられることを特徴とする情報処理装置。
【請求項２】
前記表示部材が前記情報処理装置との装着部分に電気的な接続部を備えることを特徴とする請求項１記載の情報処理装置。
【請求項３】
前記表示部材の表示の書き換えを、前記情報処理装置の通信機能により取得した表示データを用いて行うことを特徴とする請求項１または２記載の情報処理装置。
【請求項４】
前記表示部材の表示の書き換えを、前記情報処理装置内部のアプリケーションにより表示をカスタマイズして取得した表示データを用いて行うことを特徴とする請求項１から３のいずれか１項に記載の情報処理装置。
【請求項５】
前記表示部材の表示の書き換えを、表示書き換え装置で行うことを特徴とする請求項１記載の情報処理装置。
【請求項６】
前記表示部材の表示の書き換えを、前記表示書き換え装置の通信機能により取得した表示データを用いて行うことを特徴とする請求項５記載の情報処理装置。
【請求項７】
前記表示部材の表示の書き換えを、前記表示書き換え装置内部のアプリケーションにより表示をカスタマイズして取得した表示データを用いて行うことを特徴とする請求項５または６記載の情報処理装置。
【請求項８】
前記表示部材のディスプレイに記憶型反射表示デバイスを用いたことを特徴とする請求項１から７のいずれか１項に記載の情報処理装置。
【請求項９】
情報処理装置に着脱可能に取付けられる電気的に表示を書き換えて、電源を無印加状態でも表示を保持することを特徴とする情報処理装置の表示部材。
【請求項１０】
前記情報処理装置との装着部分に電気的な接続部を備えることを特徴とする請求項９記載の情報処理装置の表示部材。
【請求項１１】
表示の書き換えを前記情報処理装置の通信機能により取得した表示データを用いて行うことを特徴とする請求項９または１０記載の情報処理装置の表示部材。
【請求項１２】
表示の書き換えを前記情報処理装置内部のアプリケーションにより表示をカスタマイズして取得した表示データを用いて行うことを特徴とする請求項９から１１のいずれか１項に記載の情報処理装置の表示部材。
【請求項１３】
表示の書き換えを表示書き換え装置で行うことを特徴とする請求項９記載の情報処理装置の表示部材。
【請求項１４】
表示の書き換えを前記表示書き換え装置の通信機能により取得した表示データを用いて行うことを特徴とする請求項１３記載の情報処理装置の表示部材。
【請求項１５】
前記表示部材の表示の書き換えを、前記表示書き換え装置内部のアプリケーションにより表示をカスタマイズして取得した表示データを用いて行うことを特徴とする請求項１３または１４記載の情報処理装置の表示部材。
【請求項１６】
ディスプレイに記憶型反射表示デバイスを用いたことを特徴とする請求項９から１５のいずれか１項に記載の情報処理装置の表示部材。
【請求項１７】
情報処理装置に着脱可能に取付けられた表示部材が表示を電気的に書き換えて、電源を無印加状態でも表示を保持することを特徴とする表示変更方法。
【請求項１８】
前記表示部材の表示の書き換えを、前記情報処理装置の通信機能により取得した表示データを用いて行うことを特徴とする請求項１７記載の表示変更方法。
【請求項１９】
前記表示部材の表示の書き換えを、前記情報処理装置内部のアプリケーションにより表示をカスタマイズして取得した表示データを用いて行うことを特徴とする請求項１７または１８記載の表示変更方法。
【請求項２０】
前記表示部材の表示の書き換えを、表示書き換え装置で行うことを特徴とする請求項１７記載の表示変更方法。
【請求項２１】
前記表示部材の表示の書き換えを、前記表示書き換え装置の通信機能により取得した表示データを用いて行うことを特徴とする請求項２０記載の表示変更方法。
【請求項２２】
前記表示部材の表示の書き換えを、前記表示書き換え装置内部のアプリケーションにより表示をカスタマイズして取得した表示データを用いて行うことを特徴とする請求項２０または２１記載の表示変更方法。
【請求項２３】
コンピュータに、請求項１から８のいずれか１項に記載の機能を実現させることを特徴とするプログラム。
【発明の詳細な説明】
【技術分野】
【０００１】
本発明は、情報処理装置の筐体の表示態様を容易に変更するための技術に関する。
【背景技術】
【０００２】
従来の情報処理装置の一例である携帯電話端末のデザインは、ユーザの個性を引き出して他ユーザと差別化する要求が強く、多様なデザイン、多色化が進んでおり、さらなる差別化のために、ストラップの取り付け、シールの貼り付けなども頻繁に行われている。
【０００３】
近年では、携帯電話端末の筐体の一部を交換可能とし、それらの表示デザインを変更する着せ替えパネル、カスタムパネル等も使用されている。
【０００４】
ところが、携帯電話端末に使用している着せ替えパネルは、着せ替えパネルそのものについて、個々に、表示デザインを書き換えることができなく、異なる表示デザインを複数準備し、好みに合ったパネルをユーザが選択するしかなく、カスタムパネルというものの選択の幅が制限されていた。
【０００５】
ここで、透明度を上げたパネルを使用し、パネルと携帯電話端末の中に薄い紙を挟み込み、その紙で表示デザインをカスタマイズするということが行われているが、挟み込まれている紙という制限された表示品位と紙を挟み込む煩わしさの問題があった。
【０００６】
また、携帯電話端末の筐体は、電子ペーパーによりその表面が構成され、電子ペーパーは、それぞれ一方の半球部分が白色で且つ正の電荷を持ち、他方の半球部分がイエロー、マゼンタ、シアンに着色され且つ負の電荷を持った球形微粒子が平面状に配列されており、それら各球形微粒子が透明電極膜を介して、透明保護膜と白色保護膜との間に封入されており、また、透明電極膜と透明電極膜の各ストライプ状電極によりマトリクスが構成されており、それら各ストライプ電極へ正、負いずれか所望の電圧を印加して各球形微粒子の半球部分の向きを制御することで、携帯電話機等の電子機器の筐体の色や模様等を容易に変更することができる技術が提案されている（例えば、特許文献１参照）。
【特許文献１】特開２００４−６４６１２号公報
【発明の開示】
【発明が解決しようとする課題】
【０００７】
しかしながら、上述した従来例においては次のような問題点があった。
【０００８】
表示デザインをカスタマイズした携帯電話端末は、その表示部材と着脱可能に構成されていないため、その表示部材単体での表示デザインのカスタマイズはできなく、また、その表示部材を他人と交換したり受渡すなどの表示部材単体での流通を図ることが困難であった。
【０００９】
本発明は、以上説明した事情に鑑みてなされたものであり、その目的は、表示部材単体での情報処理装置の表示デザインのカスタマイズを可能にし、かつ、表示部材単体での流通を図ることである。
【課題を解決するための手段】
【００１０】
上記課題を解決するために、本発明は、電気的に表示を書き換えて、電源を無印加状態でも表示を保持する表示部材が着脱可能に取付けられる情報処理装置を提供する。
【００１１】
また、本発明は、情報処理装置に着脱可能に取付けられる電気的に表示を書き換えて、電源を無印加状態でも表示を保持する情報処理装置表示部材を提供する。
【００１２】
また、本発明は、情報処理装置に着脱可能に取付けられた表示部材が表示を電気的に書き換えて、電源を無印加状態でも表示を保持する表示変更方法を提供する。
【００１３】
また、本発明は、コンピュータに、情報処理装置に着脱可能に取付けられた表示部材に表示を電気的に書き換えさせ、電源を無印加状態でも表示を保持させるプログラムを提供する。
【発明の効果】
【００１４】
本発明によれば、表示部材単体での情報処理装置の表示デザインのカスタマイズおよび表示部材単体での流通が可能となる。
【発明を実施するための最良の形態】
【００１５】
以下、本発明の一実施の形態について図面を参照して詳細に説明する。なお、各図において共通する部分には、同一の符号が付されている。
【００１６】
携帯電話端末に本発明を適用した場合について説明する。
【００１７】
図１を参照すると、本実施の形態における携帯電話端末１は、携帯電話端末本体２と、着せ替えパネル３とから構成されている。
【００１８】
携帯電話端末１は、図示を省略しているが、前述したメモリや、ユーザが各種指令を入力するための操作入力部、画像や情報を表示する液晶表示部、音声処理部（マイク、スピーカ）など既知の構成を備えている。また、音声通信およびデータ通信を行う機能を有している。
【００１９】
着せ替えパネル３は、携帯電話端末１の表示デザインを変更可能な部材であり、携帯電話端末に着脱可能なその携帯電話端末の筐体の一部として構成されている。
【００２０】
着せ替えパネル３は、電気的に表示デザインを書き換えることが可能で、かつ、電源を無印加状態でも表示を保持するディスプレイにて構成されている。電源を無印加状態でも表示を保持するディスプレイを着せ替えパネル３に用いることにより、消費電力を費やすことなく、常時表示することが可能となる。
【００２１】
また、例えば、図２に示すように、着せ替えパネル３は、携帯電話端末本体２に装着する部分に電気的接続部４を設けた構成として、携帯電話端末本体２側から、ディスプレイの表示および表示デザインの書き換えに必要な電源供給ライン、表示信号ライン、制御ラインなどが接続されることであってもよい。
【００２２】
一方、着せ替えパネル３の表示デザインの書き換えを、携帯電話端末本体２とは直接、電気的には接続せずに、着せ替えパネル３単品で、所定の着せ替えパネル表示書き換え装置を介して、さらにパーソナルコンピュータなどに接続する構成とし、表示デザインを書き換えることであってもよい。
【００２３】
その場合、着せ替えパネル表示書き換え装置には、ディスプレイの表示および表示デザインの書き換えに必要な電源供給ライン、表示信号ライン、制御ラインなどが接続されているものとする。
【００２４】
上記のパーソナルコンピュータは、操作入力部と、ＲＯＭ（Read Only Memory）と、ＲＡＭ（Random Access Memory）と、通信インタフェースと、表示部と、ＨＤ（Hard Disk）と、ＣＰＵ（Central Processing Unit）とを備え、これらの各部はバスによって接続されている。
【００２５】
操作入力部は、キーボードやマウスなどを備え、これらのキーボードやマウスの操作に応じた操作信号をＣＰＵに出力する。ＲＯＭには、装置各部の基本制御を司るプログラムが格納されている。また、ＲＡＭは、ＣＰＵのワークエリアとして用いられ、ＣＰＵにより実行されるプログラムや、各種データが一時的に格納される。
【００２６】
通信インタフェースは、インターネットに接続されており、通信装置との間で行われるデータ通信を制御する。また、表示部は、ＣＲＴ（Cathode-Ray Tube）またはＬＣＤ（Liquid Crystal Display）などである。
【００２７】
ＨＤには、オペレーティングシステムなどの自機を制御するための各種ソフトウェアが格納されている。
【００２８】
次に、本実施形態おける着せ替えパネル３の表示デザインを書き換える処理について説明する。
【００２９】
着せ替えパネル３は、電気的に表示を書き換えることが可能なディスプレイを用いて構成されており、着せ替えパネル３への表示デザインの書き込みは、携帯電話端末本体２と着せ替えパネル３が電気的に接続されている場合、携帯電話端末１の通信機能を用いて、書き換える表示データをインターネット上のコンテンツからダウンロードしたり、また、電子メールなどにより取得する。
【００３０】
取得した表示データを用いて、携帯電話端末本体２の所定のボタンの押下げなどの操作により、ユーザの好みにカスタマイズした書き込みを行う。また、携帯電話端末本体２の内部に着せ替えパネルの表示データをカスタマイズ作成するアプリケーションを保有し、携帯電話端末１の通信機能を利用することなくユーザの好みにカスタマイズした書き込みを行ってもよい。
【００３１】
また、携帯電話端末本体２と着せ替えパネル３が電気的に接続されていない場合、着せ替えパネル３単品で、着せ替えパネル表示書き換え装置を介してパーソナルコンピュータに接続し、パーソナルコンピュータの通信機能あるいは、パーソナルコンピュータ内部のアプリケーションを用いて、ユーザの好みにカスタマイズし、表示デザインを書き換えてもよい。上記の携帯電話端末１の通信機能と同様の機能を有しているパーソナルコンピュータは周知である。
【００３２】
そして、カスタマイズされた着せ替えパネル３は、電子ペーパーに代表される記憶型反射表示デバイスなどのディスプレイを用いて構成されているため、着せ替えパネル３への駆動電源は、無印加状態でも表示を保持し、携帯電話端末本体２に装着された状態でも携帯電話端末本体２側から電源を供給することなく表示を保持する。
【００３３】
上記の実施の形態によれば、電気的に表示を書き換えることが可能なディスプレイを備える着せ替えパネル単体で、携帯電話端末の筐体の一部の表示デザインを容易にカスタマイズすることができる。
【００３４】
また、携帯電話端末本体と切り離して、携帯電話端末本体と着脱可能な着せ替えパネル単品での販売が可能となる。
【００３５】
また、携帯電話端末本体と切り離して、携帯電話端末本体と着脱可能な着せ替えパネルのみを他人と交換・売買することができる。
【００３６】
また、携帯電話端末本体と着脱可能な着せ替えパネルに伝言メモなどの情報を書き込み、携帯電話端末本体と着せ替えパネルを切り離して、着せ替えパネルのみを伝言メモとして第三者に渡すというような用途に適用することもできる。
【００３７】
なお、上述する各実施の形態は、本発明の好適な実施の形態であり、本発明の要旨を逸脱しない範囲内において種々変更実施が可能である。例えば、上記の実施の形態における携帯電話端末１や着せ替えパネル３の機能を実現するためのプログラムを各装置等に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００３８】
上述する各実施の形態は、携帯電話端末本体２および着せ替えパネル３が別個に接続されているシステム構成について説明したが、各機能が１つのコンピュータシステムとして実現されている構成や機能毎に複数の装置などが追加された構成にも適用可能であることはもちろんである。
【図面の簡単な説明】
【００３９】
【図１】本発明の実施形態における携帯電話端末の概略構成図である。
【図２】本発明の実施形態における電気的接続部を備える携帯電話端末の概略構成図である。
【図３】本発明の実施形態における着せ替えパネルの概略構成図である。
【符号の説明】
【００４０】
１    携帯電話端末
２    携帯電話端末本体
３    着せ替えパネル
４    電気的接続部
【図１】
2007013276.tif 000003
【図２】
2007013276.tif 000004
【図３】
2007013276.tif 000005